(57)【要約】【課題】機構が簡単で高い測定精度を得ることができる水質測定装置を提供する。【解決手段】定期的に電磁弁５を閉としてノズル３からの清水供給を停止すると共に、電磁弁７を開としてスペースＳに圧縮空気を供給すると、スペースＳ内の清水が開口２から流出し、スペースＳ内が空気で充満される。その後、電磁弁７を閉とし、電磁弁９を開としてスペースＳ内を大気に連通させると、開口２から測定対象水がスペースＳ内に流入し、センサ本体１ａにより計測が行われる。【選択図】図１
2020153848.tif 000002
【特許請求の範囲】
【請求項１】
測定対象水と接するセンサ本体を有する水質センサを備えた水質測定装置において、
該センサ本体を囲んでおり、該センサ本体との間にスペースを形成するカバーと、
該スペースをカバー外に連通するように該カバーに設けられた開口と、
該スペースに流体を供給する流体供給部と、
該水質センサの前記流体供給部に接続された清水供給配管、圧縮空気供給配管及び大気連通配管と、
該清水供給配管に設けられた清水供給弁と、
該圧縮空気供給配管に設けられた圧縮空気供給弁と、
該大気連通配管に設けられた大気連通弁と、
該清水供給弁、圧縮空気供給弁及び大気連通弁の開閉を制御する制御手段と
を備えてなる水質測定装置。
【請求項２】
前記制御手段は、定期的に前記清水供給弁を閉弁させると共に圧縮空気供給弁を開弁し、その後設定時間が経過したときに圧縮空気供給弁を閉弁させると共に大気連通弁を開弁させ、この大気連通弁の開弁から所定時間が経過したとき、又はセンサ出力の変化速度が所定値よりも小さくなったときに前記清水供給弁を開弁させるように構成されていることを特徴とする請求項３に記載の水質測定装置。
【請求項３】
前記所定時間が経過したとき、又はセンサ出力の変化速度が所定値よりも小さくなったときのセンサ検出値を次回の計測時までセンサ検出値として出力する手段を備えたことを特徴とする請求項２に記載の水質測定装置。
【請求項４】
前記センサ本体はロッド状であり、その先端側に検出部が設けられており、
前記カバーは筒状であり、
前記センサ本体の先端側に位置するカバー先端側に前記開口が設けられ、カバー基端側に前記流体供給部が設けられていることを特徴とする請求項１〜３のいずれか１項に記載の水質測定装置。
【発明の詳細な説明】
【技術分野】
【０００１】
本発明は、ｐＨ計、伝導率計などの水質センサを用いた水質測定装置に関するものである。
【背景技術】
【０００２】
排水処理における排水性状を安定して連続計測するためには、設置したセンサ類の計測部に排水中の汚染物質が与える影響を軽減することが大きな課題の一つである。特に、光を使うものであれば、発光部・受光部の表面を光学的に清澄に保つことが重要である。ｐＨ計のように電気化学反応を用いるものであれば、反応部であるガラス管表面へのＳＳ（ｓｕｓｐｅｎｄｅｄ  ｓｏｌｉｄ）成分の付着を減らすことが重要となる。
【０００３】
特許文献１には、ｐＨ計が設置された槽内を浄水で洗浄した後、ｐＨ計を酸やアルカリなどの薬液で洗浄する方法が記載されている。しかし、この方法では、薬液をリザーブしておく必要があり、メンテナンス性に難がある。また、ｐＨ計にＳＳ等が多量に付着した場合には、薬液洗浄だけでは十分に除去できない場合もある。
【０００４】
電気化学的な計測装置であるｐＨ計や伝導率計においては、幾つかの計測器メーカーから、洗浄水を計測部に直接吹き付ける機構を備えたものが販売されている。しかし、実際の排水処理現場においては、前記機構では十分な効果が得られない場合がある。特にｐＨ計の場合は、計測値に従って酸性や塩基性の薬品を投入するため、計測値が異常となれば、薬品を過剰に投与することとなるため、高い信頼性が求められる。そのため、前記のような十分な洗浄効果が得られない現場においては、メンテナンス負荷が高まり、運用者に過剰な労力を招くこととなったり、信頼性が得られずに、直接担当者が定期的に現場でセンサを用いて計測を行うというような事態が発生している。
【先行技術文献】
【特許文献】
【０００５】
【特許文献１】特開平７−２２２９９８号公報
【発明の概要】
【発明が解決しようとする課題】
【０００６】
本発明は、機構が簡単で高い測定精度を得ることができる水質測定装置を提供することを目的とする。
【課題を解決するための手段】
【０００７】
本発明の水質測定装置は、測定対象水と接するセンサ本体を有する水質センサを備えた水質測定装置において、該センサ本体を囲んでおり、該センサ本体との間にスペースを形成するカバーと、該スペースをカバー外に連通するように該カバーに設けられた開口と、該スペースに流体を供給する流体供給部と、該水質センサの前記流体供給部に接続された清水供給配管、圧縮空気供給配管及び大気連通配管と、該清水供給配管に設けられた清水供給弁と、該圧縮空気供給配管に設けられた圧縮空気供給弁と、該大気連通配管に設けられた大気連通弁と、該清水供給弁、圧縮空気供給弁及び大気連通弁の開閉を制御する制御手段とを備えてなる。
【０００８】
本発明の水質測定装置の一態様では、前記制御手段は、定期的に前記清水供給弁を閉弁させると共に圧縮空気供給弁を開弁し、その後設定時間が経過したときに圧縮空気供給弁を閉弁させると共に大気連通弁を開弁させ、この大気連通弁の開弁から所定時間が経過したとき、又はセンサ出力の変化速度が所定値よりも小さくなったときに前記清水供給弁を開弁させるように構成されている。
【０００９】
本発明の水質測定装置の一態様では、前記所定時間が経過したとき、又はセンサ出力の変化速度が所定値よりも小さくなったときのセンサ検出値を次回の計測時までセンサ検出値として出力する手段を備える。
【００１０】
本発明の一態様では、前記センサ本体はロッド状であり、その先端側に検出部が設けられており、前記カバーは筒状であり、前記センサ本体の先端側に位置するカバー先端側に前記開口が設けられ、カバー基端側に前記流体供給部が設けられている。
【発明の効果】
【００１１】
本発明によると、非測定時にはセンサ本体の周囲環境を清水としておくことができる。このため、センサ本体にスライム等が付着することが防止され、精度の高い水質測定値を得ることができる。
【００１２】
すなわち、本発明の水質測定装置では、非測定時にはセンサ本体とカバーとの間のスペースに清水を常時供給することにより、スペース内に汚泥が溜ったりセンサ本体にスライム等が付着することが防止される。
【００１３】
本発明の水質測定装置では、水質測定時には、該スペースへの清水の供給を停止すると共に、該スペースに圧縮空気を供給する。これにより、該スペース内から清水が排出される。その後、圧縮空気の供給を停止し、該スペース内を大気に連通させる。そうすると、流路又は容器内の測定対象水がカバーの開口を通ってスペース内に流入する。そこで、このスペース内の水の水質を測定することにより、流路又は容器内の測定対象水の水質が測定される。測定終了後は、スペース内に再度清水を供給する。これにより、スペース内が清水となり、スペース内での汚泥堆積やスライム等の付着が防止される。
【００１４】
本発明では、測定時におけるセンサの水質測定値の変化率が小さくなったときの計測値、又はスペースへの清水供給停止から所定時間経過したときの計測値を、次回計測まで計測値として出力してもよい。
【図面の簡単な説明】
【００１５】
【図１】実施の形態に係る水質測定装置の断面図である。
【図２】実施の形態に係る水質測定装置の作動を説明するタイミングチャートである。
【図３】他の実施の形態に係る水質測定装置の断面図である。
【図４】さらに他の実施の形態に係る水質測定装置の断面図である。
【発明を実施するための形態】
【００１６】
以下、図１，２を参照して実施の形態について説明する。
【００１７】
ｐＨ計又は電気伝導率計よりなるセンサ１は、図１の通り、検水と接するロッド状のセンサ本体（この実施の形態ではプローブ）１ａと、該センサ本体１ａを囲む筒形状のカバー１ｂとを有している。カバー１ｂとセンサ本体１ａとの間にはスペースＳが存在する。カバー１ｂの基端側は、センサ本体１ａよりも大径のセンサベース１ｃに水密的に固着されている。
【００１８】
カバー１ｂの先端面と対峙するようにして開口２が設けられている。開口２の開口径は、カバー１ｂの内径よりも小さい。カバー１ｂの基端側には、スペースＳ内に流体を供給するための流体供給部としてノズル３が設けられている。ノズル３の後端は、カバー１ｂ外に突出しており、該後端に配管１０を介して清水供給配管４、圧縮空気供給配管６及び大気連通配管８が接続されている。各配管４，６，８，１０は、合成樹脂等の硬質パイプであってもよく、軟質チューブであってもよい。
【００１９】
清水供給配管４、圧縮空気供給配管６及び大気連通配管８の途中に電磁弁５，７，９が設けられている。各電磁弁５，７，９は、演算制御器１１によって制御される。
【００２０】
センサ１の計測信号は、演算制御器１１に入力される。演算制御器１１は、計測信号の経時的な変化率を演算する演算部と、計測出力データを保持する出力保持回路と、電磁弁５，７，９の開閉を制御する電磁弁制御部（図示略）等を備えている。演算制御器１１は、マイクロプロセッサを備えており、プログラムに従って後述の一連の動作を行う。
【００２１】
このセンサ１は、通常のｐＨ計、伝導率計と同様に、センサ本体１ａが槽内や配管内等の測定対象水と接するように設置されて使用される。
【００２２】
なお、清水としては、水道水、蒸留水、脱イオン水、純水、超純水などが用いられるが、これに限定されない。
【００２３】
圧縮空気源としては、コンプレッサ、ブロワ、空気ボンベ等が好適である。大気連通配管８の末端は大気に開放している。なお、電磁弁９よりも大気側に吸引ポンプやアスピレータ等の吸引手段が設けられてもよい。
【００２４】
このセンサ１を備えた水質測定装置において、演算制御器１１は、定期的に電磁弁５を閉とすると共に電磁弁７を開として圧縮空気を供給し、その後、電磁弁７を閉、電磁弁９を開としてスペースＳ内に測定対象水を流入させて計測工程を行う。その後の所定の時期に電磁弁９を閉、電磁弁５を開として洗浄工程を行う。
【００２５】
電磁弁５が開となっているときには、ノズル３からスペースＳに清水が連続的に供給される。ノズル３からスペースＳに供給された清水は、開口２から流出する。これにより、スペースＳ内に残存していた測定対象水が排出されると共に、センサ本体１ａが清水で洗浄される。また、開口２から清水が連続的に流出することにより、開口２から測定対象水がスペースＳに流入することが防止される。
【００２６】
電磁弁５を閉としてノズル３からの清水供給を停止すると共に、電磁弁７を開としてスペースＳに圧縮空気を供給すると、スペースＳ内の清水が開口２から流出し、スペースＳ内が空気で充満される。その後、電磁弁７を閉とし、電磁弁９を開としてスペースＳ内を大気に連通させると、開口２から測定対象水がスペースＳ内に流入し、センサ本体１ａにより計測が行われる。このようにスペースＳ内の清水を圧縮空気で押し出した後、スペースＳ内を大気に連通させることにより、スペースＳ内に測定対象水が速やかに流入し、スペースＳ内が測定対象水で速やかに満たされる。
【００２７】
センサ本体１ａが測定対象水と接した場合、計測信号値は、電磁弁５の閉弁当初は比較的急速に変動例えば上昇するが、この上昇は次第に緩慢となってくる。演算制御器１１は、計測信号値の上昇速度が所定値よりも小さくなった時点、又は電磁弁９の開から所定時間が経過した時点（後述のｔ３又はｔ’３）の計測信号値を計測出力値として出力する。
【００２８】
図２を参照して、水質測定の具体例を次に説明する。
【００２９】
予め設定した第Ｎ回目計測の開始時刻ｔ１になると、電磁弁５を閉として清水供給を停止すると共に、電磁弁７を開としてスペースＳに圧縮空気を供給する。これにより、スペースＳ内の清水が開口２から流出し、スペースＳ内が空気で充満される。その後の時刻ｔ２に電磁弁７を閉として圧縮空気供給を停止すると共に、電磁弁９を開としてスペースＳ内を大気に連通させる。そうすると、開口２から測定対象水がスペースＳ内に速やかに流入し、スペースＳ内が測定対象水で満たされセンサ本体１ａで計測が行われる。この計測信号値は徐々に安定してくる。この計測信号値の変化速度（℃／ｓｅｃ）が所定値以下になるか、又はｔ２から所定時間が経過した時刻ｔ３になると、更新信号が出力され、それまで出力保持回路に保持されていた計測出力値Ｄ０を時刻ｔ２における計測信号又はそれに基づく計測出力値Ｄ１に更新する。
【００３０】
なお、電磁弁９はスペースＳ内が測定対象水で満たされた後、閉とされる。電磁弁９の閉のタイミングはｔ３以前が好ましいが、後述のｔ４以前でもよい。
【００３１】
演算制御器１１の出力保持回路は、次回（第Ｎ＋１回目）の計測までは、計測出力値をＤ１に保持する。更新信号の立ち下り時（時刻ｔ４）に電磁弁５を開とし、スペースＳへの清水供給を再開する。これに伴い、計測信号は急速に清水対応値にまで低下する。電磁弁５を開とするタイミングは、時刻ｔ４に限定されるものではなく、ｔ３〜ｔ４間のいずれでもよい。
【００３２】
次の第Ｎ＋１回目の計測開始時刻ｔ’１になると、同様にして電磁弁５が閉とされると共に電磁弁７が開とされ、次いで時刻ｔ’２に電磁弁７が閉、電磁弁９が開とされる。これにより、スペースＳ内に測定対象水が速やかに流入し、計測が行われ、出力保持回路に保持されていた計測出力値Ｄ１が時刻ｔ’３の計測信号又はそれに基づく計測出力値Ｄ２に更新される。この次の第Ｎ＋２回目の計測まで、センサ１の計測出力値はＤ２に保持される。スペースＳ内が測定対象水で満たされた後、電磁弁９が閉とされる。時刻ｔ’４に電磁弁５が再び開とされ、スペースＳへの清水供給が再開し、計測信号が急速に清水対応値にまで低下する。
【００３３】
第Ｎ＋２回目以降の計測も同様に行われる。
【００３４】
通常の市販のｐＨ計又は伝導率計をセンサ本体とした水質測定装置を用いて、ｐＨ又は電気伝導率測定を行う場合、センサ本体１ａとカバー１ｂとの間隔は検水中のＳＳによる閉塞が発生しない大きさとして１〜１０ｍｍ、特に３〜５ｍｍであり、開口２の口径（直径）は５〜２０ｍｍ、特に６〜１０ｍｍ程度が好ましい。この水質測定装置によると、１時間に１〜２０回、特に５〜１０回程度の頻度で、１回の計測時における測定対象水との接触時間（ｔ４−ｔ２）を１０〜１２０ｓｅｃ、特に１５〜２０ｓｅｃ程度として十分に精度の高い測定を行うことができる。
【００３５】
この場合、センサ本体１ａが測定対象水と接触する時間は、最長でも１時間に合計で１０〜１２０ｓｅｃ程度であり、センサ本体１ａに水中の懸濁物質が付着することが殆どない。また、仮にセンサ本体に若干の汚れが付着しても、洗浄工程においてノズル３から導入される清水によってセンサ本体１ａが洗浄されたときに汚れが除去される。
【００３６】
このとき、通常は、センサ本体１ａの先端部にｐＨ電極等の検出部が位置する。この実施の形態では、カバー１ｂの先端部に口径の小さい開口２が設けられているので、センサ本体１ａの先端近傍での清水流速が大きいものとなり、乱流状態となった清水によりセンサ検出部が十分に洗浄される。
【００３７】
なお、センサ検出部の汚れがさらに強い場合には、図３あるいは図４に示すように圧縮空気供給配管６を大気連通配管８の配管１０とは別の配管１０ａ側として、この配管１０ａをノズル３ａを介してセンサ検出部の先端に設けることにより、センサ検出部を直接洗浄するようにすることが有効である。
【００３８】
本発明では、洗浄工程の好ましくは末期の水質センサ計測値Ｑ１を、予め測定しておいた清水の水質値Ｑ０と対比してオフセット値Ｑ１−Ｑ０を算出し、計測工程での計測値Ｑを［Ｑ−（Ｑ１−Ｑ０）］と補正してもよい。
【００３９】
また、本発明では、Ｑ１−Ｑ０で算出されるオフセット値を監視し、このオフセット値が所定値以上になったときには、警告又は校正要求信号を発生させるようにしてもよい。
【００４０】
本発明の水質測定装置は、各種排水処理設備や純水製造装置等に好適に用いることができるが、これら以外の用途にも用いることができる。
【００４１】
上記実施の形態は本発明の一例であり、本発明は上記実施の形態に限定されるものではない。本発明は、ｐＨや電気伝導率以外の水質測定にも適用することができる。
【符号の説明】
【００４２】
１  センサ
１ａ  センサ本体
１ｂ  カバー
２  開口
３  ノズル
４  清水供給配管
５，７，９  電磁弁
６  圧縮空気供給配管
８  大気連通配管
１１  演算制御器
【図１】
2020153848.tif 000003
【図２】
2020153848.tif 000004
【図３】
2020153848.tif 000005
【図４】
2020153848.tif 000006